【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
再生可能エネルギー公益事業規模電力システムであって、
高電圧再生可能エネルギーハーベスティングネットワークを備え、
該高電圧再生可能エネルギーハーベスティングネットワークは、
複数列の再生可能エネルギー収集器にして、各再生可能エネルギー収集器がＤＣ出力部を有する複数列の再生可能エネルギー収集器と、
複数の再生可能エネルギー電力オプティマイザ及び送信機にして、各再生可能エネルギー電力オプティマイザ及び送信機が、前記複数列の再生可能エネルギー収集器の少なくとも１つのＤＣ出力部に接続する少なくとも１列の電力オプティマイザ入力部と、ＤＣリンクに接続する高電圧ＤＣ出力部とを有する複数の再生可能エネルギー電力オプティマイザ及び送信機とを備え、
再生可能エネルギー公益事業規模電力システムは、複数のグリッドインバータパッケージモジュールを有する中央グリッド同期多相調整電流源インバータシステムを備え、各グリッドインバータパッケージモジュールは、前記ＤＣリンクに接続する入力部を有するシステム。
【請求項２】
前記複数列の前記再生可能エネルギー収集器各々は複数の太陽電池モジュールを備え、
前記複数の再生可能エネルギー電力オプティマイザ及び送信機各々は、
少なくとも１組のＤＣ−ＤＣコンバータにして、前記少なくとも１列の電力オプティマイザ入力部各々に接続される列インバータ入力部、及び前記ＤＣリンクに接続されるＤＣリンク出力部を有する該少なくとも１組のＤＣ−ＤＣコンバータと、
前記少なくとも１組のＤＣ−ＤＣコンバータ各々の列インバータ入力部における列インバータ入力電圧及び列インバータ入力電流を検出及び監視するため、及び、前記少なくとも１組のＤＣ−ＤＣコンバータ各々を最大電力点へと制御するためのプロセッサとを備える請求項１の再生可能エネルギー公益事業規模電力システム。
【請求項３】
前記複数列の再生可能エネルギー収集器各々は複数の太陽電池モジュールを備え、
前記複数の再生可能エネルギー電力オプティマイザ及び送信機各々は、
別々の第１ＤＣ−ＤＣコンバータ組及び第２ＤＣ−ＤＣコンバータ組からなる４つのＤＣ−ＤＣコンバータを備え、該４つのＤＣ−ＤＣコンバータ各々は、前記少なくとも１列の電力オプティマイザ入力部各々に接続される列インバータ入力部と、プラス整流出力部及びマイナス整流出力部とを有し、前記第１ＤＣ−ＤＣコンバータ組はＤＣリンクに並列に接続される前記プラス整流出力部を有し、前記第２ＤＣ−ＤＣコンバータ組はＤＣリンクに並列に接続されるマイナス整流出力部を有し、前記第１ＤＣ−ＤＣコンバータ組の前記マイナス整流出力部と第２ＤＣ−ＤＣコンバータ組のプラス整流出力部はＤＣリンクに共に共通に接続され、
前記複数の再生可能エネルギー電力オプティマイザ及び送信機各々は、
前記４つのＤＣ−ＤＣコンバータ各々の列インバータ入力部における列インバータ入力電圧及び列インバータ入力電流を検出及び監視するため、及び、前記４つのＤＣ−ＤＣコンバータ各々を最大電力点へと制御するためのプロセッサと、
複数の高電圧再生可能エネルギーハーベスティングネットワークデータ及び複数の中央グリッド同期多相調整電流源インバータシステムデータの送信及び受信のためのアンテナに接続されるトランシーバとを備える請求項１の再生可能エネルギー公益事業規模電力システム。
【請求項４】
中央制御システムを更に備え、該中央制御システムは、
前記複数の再生可能エネルギー電力オプティマイザ及び送信機及び前記複数のグリッドインバータパッケージモジュール間で通信するための手段と、
複数の高電圧再生可能エネルギーハーベスティングネットワークデータ及び複数の中央グリッド同期多相調整電流源インバータシステムデータを送信及び受信するための手段とを備える請求項１の再生可能エネルギー公益事業規模電力システム。
【請求項５】
前記４つのＤＣ−ＤＣコンバータ各々は、可変周波数制御共鳴インバータを更に備え、該可変周波数制御共鳴インバータは、前記列インバータ入力部に接続される共鳴インバータ入力部及び絶縁変圧器により整流器の入力部に接続される共鳴インバータ出力部を有し、前記整流器は、前記プラス及びマイナス整流出力部に接続される出力部を有し、前記４つのＤＣ−ＤＣコンバータ各々を最大電力点へと制御するための前記プロセッサは、前記可変周波数制御共鳴インバータの動作周波数を変える請求項３の再生可能エネルギー公益事業規模電力システム。
【請求項６】
前記複数列の再生可能エネルギー収集器の各１つは、整流ｄｃ出力部を有する複数の風力タービン駆動ＡＣ発電機を備え、前記複数の再生可能エネルギー電力オプティマイザ及び送信機は、
少なくとも１つのＤＣ−ＤＣコンバータにして、該少なくとも１つのＤＣ−ＤＣコンバータ各々が前記少なくとも１列の電力オプティマイザ入力部各々に接続される列インバータ入力部と前記ＤＣリンクに接続されるプラス整流出力部及びマイナス整流出力部とを有する該少なくとも１つのＤＣ−ＤＣコンバータと、
前記少なくとも１つのＤＣ−ＤＣコンバータ各々の列インバータ入力部における列インバータ入力電圧及び列インバータ入力電流を検出及び監視するため、及び、前記少なくとも１つのＤＣ−ＤＣコンバータ各々を最大電力点へと制御するためのプロセッサとを備える請求項１の再生可能エネルギー公益事業規模電力システム。
【請求項７】
高電圧再生可能エネルギーハーベスティングネットワークを備える公益事業規模再生可能エネルギーシステムからの再生可能エネルギーを取り入れ、変換し、監視し、かつ制御する方法であって、
前記高電圧再生可能エネルギーハーベスティングネットワークは、複数列の再生可能エネルギー収集器にして、該複数列の各再生可能エネルギー収集器各々が収集器ＤＣ出力部を有する複数列の再生可能エネルギー収集器と、複数のグリッドインバータパッケージモジュールを有する中央グリッド同期多相調整電流源インバータシステムとを備え、
前記方法は、前記高電圧再生可能エネルギーハーベスティングネットワーク内に分散する複数の再生可能エネルギー電力オプティマイザ及び送信機により、前記複数列の再生可能エネルギー収集器の収集器ＤＣ出力を最大電力点へと最適化する工程にして、該複数の再生可能エネルギー電力オプティマイザ及び送信機各々がオプティマイザＤＣ出力部を有する該工程と、
前記複数の再生可能エネルギー電力オプティマイザ及び送信機のオプティマイザＤＣ出力をＤＣリンクにより中央グリッド同期多相調整電流源インバータシステムに接続する工程とを含む方法。
【請求項８】
再生可能エネルギー公益事業規模電力システムであって、
高電圧再生可能エネルギーハーベスティングネットワークを備え、
該高電圧再生可能エネルギーハーベスティングネットワークは、
複数列の再生可能エネルギー収集器にして、各再生可能エネルギー収集器がＤＣ出力部を有する複数列の再生可能エネルギー収集器と、
複数の再生可能エネルギー電力オプティマイザ及び送信機にして、各再生可能エネルギー電力オプティマイザ及び送信機が、前記複数列の再生可能エネルギー収集器の少なくとも１つのＤＣ出力部に接続する少なくとも１列の電力オプティマイザ入力部と、ＤＣリンクに接続する高電圧ＤＣ出力部とを有する複数の再生可能エネルギー電力オプティマイザ及び送信機とを備え、
該再生可能エネルギー公益事業規模電力システムは、
複数のグリッドインバータパッケージモジュールを有する中央グリッド同期多相調整電流源インバータシステムと、
前記高電圧再生可能エネルギーハーベスティングネットワーク及び前記中央グリッド同期多相調整電流源インバータシステムを監視及び制御するためのバーチャル投入監視システム及び中央制御システムとを備える再生可能エネルギー公益事業規模電力システム。
【請求項９】
前記複数列の前記再生可能エネルギー収集器各々は複数の太陽電池モジュールを備え、
前記複数の再生可能エネルギー電力オプティマイザ及び送信機各々は、
少なくとも１組のＤＣ−ＤＣコンバータにして、前記電力オプティマイザ入力部各々に接続される列インバータ入力部、及び前記ＤＣリンクに接続されるＤＣリンク出力部を有する該少なくとも１組のＤＣ−ＤＣコンバータと、
前記少なくとも１組のＤＣ−ＤＣコンバータ各々の列インバータ入力部における列入力電圧及び列入力電流を検出及び監視するため、及び、前記少なくとも１組のＤＣ−ＤＣコンバータ各々を最大電力点へと制御するためのプロセッサとを備える請求項８の再生可能エネルギー公益事業規模電力システム。
【請求項１０】
前記複数列の再生可能エネルギー収集器各々は複数の太陽電池モジュールを備え、
前記複数の再生可能エネルギー電力オプティマイザ及び送信機各々は、
別々の第１ＤＣ−ＤＣコンバータ組及び第２ＤＣ−ＤＣコンバータ組からなる４つのＤＣ−ＤＣコンバータを備え、該４つのＤＣ−ＤＣコンバータ各々は、前記電力オプティマイザ入力部各々に接続される列インバータ入力部と、プラス整流出力部及びマイナス整流出力部とを有し、前記第１ＤＣ−ＤＣコンバータ組はＤＣリンクに並列に接続される前記プラス整流出力部を有し、前記第２ＤＣ−ＤＣコンバータ組はＤＣリンクに並列に接続されるマイナス整流出力部を有し、前記第１ＤＣ−ＤＣコンバータ組の前記マイナス整流出力部と第２ＤＣ−ＤＣコンバータ組のプラス整流出力部はＤＣリンクに共に共通に接続され、
前記複数の再生可能エネルギー電力オプティマイザ及び送信機各々は、
前記４つのＤＣ−ＤＣコンバータ各々の列インバータ入力部における列インバータ入力電圧及び列インバータ入力電流を検出及び監視するため、及び、前記４つのＤＣ−ＤＣコンバータ各々を最大電力点へと制御するためのプロセッサと、
複数の高電圧再生可能エネルギーハーベスティングネットワークデータ及び複数の中央グリッド同期多相調整電流源インバータシステムデータの、前記バーチャル投入監視システム及び中央制御システムへの及びからの送信及び受信のためのアンテナに接続されるトランシーバとを備える請求項８の再生可能エネルギー公益事業規模電力システム。
【請求項１１】
前記中央制御システムは、
前記複数の再生可能エネルギー電力オプティマイザ及び送信機及び前記複数のグリッドインバータパッケージモジュール間で通信するための手段と、
複数の高電圧再生可能エネルギーハーベスティングネットワークデータ及び複数の中央グリッド同期多相調整電流源インバータシステムデータを送信及び受信するための手段と、
前記バーチャル投入監視システムと通信するための手段とを備える請求項８の再生可能エネルギー公益事業規模電力システム。
【請求項１２】
前記バーチャル投入監視システムは、バーチャル投入設備ウォッチドッグコンピュータシステムを備え、
該バーチャル投入設備ウォッチドッグコンピュータシステムは、
複数の高電圧再生可能エネルギーハーベスティングネットワークデータ及び複数の中央グリッド同期多相調整電流源インバータシステムデータを収集するため；
３次元視覚型バーチャルリアリティディスプレイ環境における前記複数の高電圧再生可能エネルギーハーベスティングネットワークデータ及び前記複数の中央グリッド同期多相調整電流源インバータシステムデータの視覚表示のため；及び、
前記複数列の再生可能エネルギー収集器の利用可能な照射に基づく高電圧電気グリッドへの投入のための高電圧再生可能エネルギーハーベスティングネットワークからの電力出力を予測するため、のものである請求項８の再生可能エネルギー公益事業規模電力システム。
【請求項１３】
前記４つのＤＣ−ＤＣコンバータ各々は、可変周波数制御共鳴インバータを更に備え、該可変周波数制御共鳴インバータは、前記列インバータ入力部に接続される共鳴インバータ入力部及び絶縁変圧器により整流器の入力部に接続される共鳴インバータ出力部を有し、前記整流器は、前記プラス及びマイナス整流出力部に接続される出力部を有し、前記４つのＤＣ−ＤＣコンバータ各々を最大電力点へと制御するための前記プロセッサは、前記可変周波数制御共鳴インバータの動作周波数を変える請求項１０の再生可能エネルギー公益事業規模電力システム。
【請求項１４】
前記複数列の再生可能エネルギー収集器の各１つは、整流ｄｃ出力部を有する複数の風力タービン駆動ａｃ発電機を備え、前記複数の再生可能エネルギー電力オプティマイザ及び送信機は、
少なくとも１つのＤＣ−ＤＣコンバータにして、該少なくとも１つのＤＣ−ＤＣコンバータ各々が前記少なくとも１列の電力オプティマイザ入力部各々に接続される列インバータ入力部と前記ＤＣリンクに接続されるプラス整流出力部及びマイナス整流出力部とを有する該少なくとも１つのＤＣ−ＤＣコンバータと、
前記少なくとも１つのＤＣ−ＤＣコンバータ各々の列インバータ入力部における列インバータ出力電圧及び列インバータ出力電流を検出及び監視するため、及び、前記少なくとも１つのＤＣ−ＤＣコンバータ各々を最大電力点へと制御するためのプロセッサとを備える請求項８の再生可能エネルギー公益事業規模電力システム。
【請求項１５】
前記バーチャル投入監視システムは、バーチャル投入設備ウォッチドッグコンピュータシステムを備え、
該バーチャル投入設備ウォッチドッグコンピュータシステムは、
複数の高電圧再生可能エネルギーハーベスティングネットワークデータ及び複数の中央グリッド同期多相調整電流源インバータシステムデータを収集するため；及び、
３次元視覚型バーチャルリアリティディスプレイ環境における前記複数の高電圧再生可能エネルギーハーベスティングネットワークデータ及び前記複数の中央グリッド同期多相調整電流源インバータシステムデータの視覚表示のため、のものである請求項１４の再生可能エネルギー公益事業規模電力システム。
【請求項１６】
前記少なくとも１つのＤＣ−ＤＣコンバータ各々は、可変周波数制御共鳴インバータを更に備え、該可変周波数制御共鳴インバータは、前記少なくとも１つの列インバータ入力部各々に接続される共鳴インバータ入力部及び絶縁変圧器により整流器の入力部に接続される共鳴インバータ出力部を有し、前記整流器は、前記プラス及びマイナス整流出力部に接続される出力部を有し、前記少なくとも１つのＤＣ−ＤＣコンバータ各々を最大電力点へと制御するための前記プロセッサは、前記可変周波数制御共鳴インバータの動作周波数を変える請求項１２の再生可能エネルギー公益事業規模電力システム。
【請求項１７】
高電圧再生可能エネルギーハーベスティングネットワークを備える公益事業規模再生可能エネルギーシステムからの再生可能エネルギーを取り入れ、変換し、監視し、かつ制御する方法であって、
前記高電圧再生可能エネルギーハーベスティングネットワークは、複数列の再生可能エネルギー収集器にして、該複数列の再生可能エネルギー収集器各々がＤＣ出力部を有する複数列の再生可能エネルギー収集器と、複数の再生可能エネルギー電力オプティマイザ及び送信機にして、各再生可能エネルギー電力オプティマイザ及び送信機が、前記複数列の再生可能エネルギー収集器の少なくとも１つのＤＣ出力部に接続する少なくとも１列の電力オプティマイザ入力部と、ＤＣリンクに接続する高電圧ＤＣ出力部とを有する複数の再生可能エネルギー電力オプティマイザ及び送信機と、複数のグリッドインバータパッケージモジュールを有する中央グリッド同期多相調整電流源インバータシステムとを備え、
該方法は、３次元視覚型バーチャルリアリティディスプレイ環境において前記高電圧再生可能エネルギーハーベスティングネットワークを視覚投入監視する工程と、
前記３次元視覚型バーチャルリアリティディスプレイ環境と通信する、高電圧再生可能エネルギーハーベスティングネットワーク及び中央グリッド同期多相調整電流源インバータシステムを中央制御する工程とを含む方法。
【手続補正２】
【補正対象書類名】明細書
【補正対象項目名】００３０
【補正方法】変更
【補正の内容】
【００３０】
太陽エネルギーに対し、本発明のバーチャル投入監視及び制御システムの２つの典型的な例が与えられる。１つの例は、固定傾斜トラッキング光電池アレイを使用し、他方は、図１に台座３２で例示されるような２軸トラッキング光電池アレイを使用する。ソーラーファームサイトの正確な３次元描写がＶＩＥＷコンピュータ表示モデルに組み込まれる。ＶＩＥＷコンピュータ表示モデルのオペレータの視点（ビュー）が、３次元空間中を制約なしに移動しているバーチャルカメラビューから、ビデオモニター等の適切なコンピュータ視覚出力装置に提供され得る。オペレータは、ハンドヘルドコントローラ、ジョイスティック又はトラックボール等の適切なコンピュータ入力装置を介して、３次元空間を通るカメラの運動を制御する。運動は光電池アレイの全体にわたってあり得、また、随意的に、ソーラーファームの個々の構成要素の事前に設定された３次元空間トラックに与えられ得る。
【手続補正３】
【補正対象書類名】明細書
【補正対象項目名】００４０
【補正方法】変更
【補正の内容】
【００４０】
１２  高電圧太陽光発電エネルギー収集ネットワーク
１４  中央グリッド同期多相調整電流源インバータシステム
１４ａ−１４ｄ  グリッドインバータパッケージ（ＧｒＩＰ）モジュール
１６  随意バーチャル投入監視及び制御システム
１６ａ  バーチャル投入設備ウォッチドッグ（ＶＩＥＷ）モジュール
１６ｂ  中央制御モジュール
１７  セキュアデータリンク
１８  昇圧器
２０  太陽エネルギーオプティマイザ及び送信機（ＳＰＯＴ）
２０ａ  ＤＣ−ＤＣコンバータ
２０ｂ  プロセッサ
２０ｃ  トランシーバ
２０ｃ’  送信及び受信アンテナ
２２  ＤＣリンク
３０  太陽光電池モジュール
３１  光電池列
３２  台座
【手続補正４】
【補正対象書類名】図面
【補正対象項目名】図１
【補正方法】変更
【補正の内容】
【図１】
2013541930.tif 000001
【手続補正５】
【補正対象書類名】図面
【補正対象項目名】図６
【補正方法】変更
【補正の内容】
【図６】
2013541930.tif 000002